(57)【特許請求の範囲】
【請求項１】
本体前面側の操作面に配設された操作ボタンと、表示部と、本体背面側に取り付けられた排熱ファンと、同排熱ファンの下方に取り付けられ、他の機器と接続ケーブルを介して接続される接続端子と、板金により下部を開放し背面と両側面とを備えるように形成され、前記本体背面をカバーする配線カバーとからなる操作装置において、
前記配線カバーの背面に、前記排熱ファンに対応する部位を前記本体背面に向かって切り起し、前記排熱ファンによる排熱用の開口部を形成するとともに、前記接続端子を隠蔽するカバー部を形成したことを特徴とする操作装置。
【請求項２】
前記取付面に、前記開口部から操作できる電源スイッチを取り付けたことを特徴とする請求項１に記載の操作装置。
【請求項３】
前記取付面に備えた各部の名称を示す印刷表示部を、前記開口部から視認できる位置に設けたことを特徴とする請求項１に記載の操作装置。
【請求項４】
前記配線カバーの下端部に、前記接続ケーブルを導出する切り欠きを設けたことを特徴とする請求項１乃至請求項３の何れかに記載の操作装置。
【発明の詳細な説明】
【技術分野】
【０００１】
本発明は、操作装置に係わり、より詳細には、接続端子に接続される接続ケーブルと接続部近傍をカバーするカバー部と、発熱部品の開口部とを備えた配線カバーの構造に関するものである。
【背景技術】
【０００２】
従来の操作装置は、例えば図５に示す消防用無線統制卓がある。これは、消防本局において、事案発生時に、自署と他署および複数の車輛との通信を集中管理するものである（例えば、特許文献１）。
【０００３】
この操作装置は、本体１０１の前面側の操作面１０２に配設された多数の操作ボタン１０３と、表示部１０４と、送受話器１０５と、スピーカ部１０６とを備え、本体１０１の背面側を構成する板金製の取付面１０７に取り付けられた電源スイッチ１０８と、電源スイッチ１０８の下位部に配置された接続端子１０９とを備えている。
【０００４】
取付面１０７に取り付けられた電源スイッチ１０８は、手指により電源のＯＮ−ＯＦＦが操作されるようになっており、接続端子１０９は、電源スイッチ１０８から離間部Ｈを有して下位に配置され、他の機器と接続ケーブル（何れも図示せず）を介して接続される。
【０００５】
しかしながら、接続端子１０９に図示しない接続ケーブルが接続された際、接続ケーブルと接続部近傍がカバーされる構成でないことから、この接続ケーブルと接続部近傍が露出して外観性を損ねてしまうことになり、特に、広い消防司令室内ではこの操作装置が複数台設置されることで、背面側を通る人の目に触れる機会が多くなる。
【０００６】
また、本体１０１の内部に電源基板またはタッチパネルＬＣＤなどの発熱部品（図示せず）が搭載された場合は、この発熱部品の排熱のため、取付面１０７に排熱ファンおよび開口部を設けることもある。その場合は、取付面１０７にパンチングで多数の排気穴を設けることが多く、取付面１０７を製作するための加工工程，金型が複雑化してコスト的に不利になってしまう問題があった。
【先行技術文献】
【特許文献】
【０００７】
【特許文献１】意匠登録第１４０１６６８号公報
【発明の概要】
【発明が解決しようとする課題】
【０００８】
本発明は、上記問題点に鑑み、接続端子に接続される接続ケーブルと接続部近傍をカバーするカバー部と、発熱部品の開口部とを備えた配線カバーを有する操作装置を提供することを目的とする。
【課題を解決するための手段】
【０００９】
上述した目的を達成するため、本発明は以下に示す特徴を備えている。
【００１０】
本体前面側の操作面に配設された操作ボタンと、表示部と、本体背面側に取り付けられた排熱ファンと、同排熱ファンの下方に取り付けられ、他の機器と接続ケーブルを介して接続される接続端子と、板金により下部を開放し背面と両側面とを備えるように形成され、前記本体背面をカバーする配線カバーとからなる操作装置において、
前記配線カバーの背面に、前記排熱ファンに対応する部位を前記本体背面に向かって切り起し、前記排熱ファンによる排熱用の開口部を形成するとともに、前記接続端子を隠蔽するカバー部を形成したことを特徴としている。
【００１１】
また、前記取付面に、前記開口部から操作できる電源スイッチを取り付けたことを特徴としている。
【００１２】
また、前記取付面に備えた各部の名称を示す印刷表示部を、前記開口部から視認できる位置に設けたことを特徴としている。
【００１３】
また、前記配線カバーの下端部に、前記接続ケーブルを導出する切り欠きを設けたことを特徴としている。
【発明の効果】
【００１４】
本発明によれば、接続端子に接続される接続ケーブルと接続部近傍をカバーするカバー部と、発熱部品の開口部とを備えた配線カバーを有する操作装置を提供できる。
【図面の簡単な説明】
【００１５】
【図１】本発明による操作装置の外観斜視図で、（Ａ）は前面側の外観斜視図であり、（Ｂ）は背面側の外観斜視図である。
【図２】本発明による操作装置の説明図で、（Ａ）は背面図であり、（Ｂ）は図２（Ａ）に示すＡ部の拡大図である。
【図３】本発明による操作装置の要部断面図で、（Ａ）は電源スイッチの第一の操作状態を示す説明図であり、（Ｂ）は電源スイッチの第二の操作状態および印刷表示部の視認性を示す説明図である。
【図４】本発明による操作装置の背面側斜視図で、（Ａ）は接続端子に接続された接続ケーブルを示す第一の説明図であり、（Ｂ）は接続端子に接続された接続ケーブルを示す第二の説明図である。
【図５】従来例による操作装置の説明図で、（Ａ）は斜視図であり、（Ｂ）は背面図である。
【発明を実施するための形態】
【００１６】
以下、本発明の実施の形態を、添付図面に基づいた実施例として詳細に説明する。
【００１７】
図１は本発明による操作装置の外観斜視図で、（Ａ）は操作ボタン、表示部、送受話器およびスピーカ部等を配置した前面側の外観斜視図であり、（Ｂ）は取付面に電源スイッチ、排熱ファンおよび接続端子等を配置し、カバー部および開口部を備えた配線カバーを設けた背面側の外観斜視図である。
【００１８】
図２は本発明による操作装置の説明図で、（Ａ）は配線カバーの開口部から電源スイッチ、排熱ファンおよび電源スイッチＯＮ−ＯＦＦの表示等を印刷した印刷表示部を視認できる状態を示す背面図であり、（Ｂ）は図２（Ａ）に示すＡ部の拡大図である。
【００１９】
図３は本発明による操作装置の要部断面図で、（Ａ）は配線カバーの開口部に本体上部から手指を差し込んで電源スイッチを操作する操作性を示す第一の説明図であり、（Ｂ）は背面側から手指を差し込んで電源スイッチを操作する操作性および電源スイッチＯＮ−ＯＦＦの表示等を印刷した印刷表示部の視認性を示す第二の説明図である。
【００２０】
図４は本発明による操作装置の背面側斜視図で、（Ａ）は配線カバーの下方に接続ケーブルを導出した第一の説明図であり、（Ｂ）は配線カバーの切り欠きから後方または側方に接続ケーブルを導出した第二の説明図である。
【００２１】
本発明による操作装置は、例えば、消防本部に設置して自署と他署および複数の車輛との通信を集中管理する消防用無線統制卓として用いられるものであり、図１（Ａ）に示すように、本体１前面側の操作面２に配設された多数の操作ボタン３、表示部４、送受話器５およびスピーカ部６等を備えている。
【００２２】
また、図１（Ｂ）と、図２と、図３とに示すように、本体１背面側の取付面７に配設された電源スイッチ８および排熱ファン９を備え、電源スイッチ８および排熱ファン９から離間部Ｈを有して下方に取り付けられた接続端子１０を備えている。接続端子１０には、他の通信機器と接続されるコネクタ、スピーカ端子およびインターネットなどに接続されるＬＡＮ端子等がある。
【００２３】
接続端子１０には、図３に示すように接続ケーブル１３が接続される。
電源スイッチ８および接続端子１０の上方には、図２に示すように、電源スイッチ８の上方に印刷された「電源スイッチ ＯＮ／ＯＦＦ」の表示と、接続端子１０の上方に印刷された「各端子名」等の表示とを含む印刷表示部１１が配置されている。
【００２４】
本体１の背面側には、配線カバー１５が、接続端子１０に接続された接続ケーブル１３と接続部近傍１４を隠蔽するとともに、電源スイッチ８および排熱ファン９と、印刷表示部１１とを開放するように、固定部２２によってねじ締め固定されている。
【００２５】
配線カバー１５は、図１（Ｂ）と、図２と、図３とに示すように、板金により、下部を開放し、背面と両側面とで構成されるように形成される。背面は、本体１背面側の上部から下方に傾斜しながら後方に延びる矩形状の後方傾斜面１６からなり、後方傾斜面１６の両側部を折曲して、本体１後部の両側を閉塞する両側面１７，１７となっている。
【００２６】
なお、配線カバー１５の背面は、本実施例では、矩形状に形成された後方傾斜面１６からなる構成として説明するが、これに限定されることなく、本体１背面側の取付面７に平行な矩形状の垂直面（図示せず）からなる構成であってもよい。
【００２７】
後方傾斜面１６は、図１（Ｂ）と、図３とに示すように、電源スイッチ８および排熱ファン９等に対応する部位を本体１背面側の取付面７に向かって水平状に切り起こし、接続端子１０に接続された接続ケーブル１３と接続部近傍１４の上部を隠蔽する切り起し片からなるカバー部２０を備えている。
【００２８】
カバー部２０は、後方傾斜面１６の上辺に沿って横方向に延びる上部の切り込み１８を入れ、上部の切り込み１８の両側部から、後方傾斜面１６の両側辺に沿って接続端子１０の上部に対応する位置まで延びる両側部の切り込み１９，１９を入れて、この両側部の切り込み１９，１９の下端１９１，１９１から折り曲げて水平状に切り起されている。
【００２９】
両側部の切り込み１９，１９の下端１９１，１９１は、接続端子１０に接続された接続ケーブル１３のコネクタ上部に対し、カバー部２０が隙間ｈを有して切り起される位置まで切り込まれており、離間部Ｈに対する隙間ｈの高さ寸法は「Ｈ＞ｈ」となっている。
【００３０】
なお、上部の切り込み１８および両側部の切り込み１９，１９と、両側部の切り込み１９，１９の下端部１９１，１９１とは、図１（Ｂ）と、図２と、図３とにおいて切り込みの形状を図示してはいないが、それぞれの切り込みが形成された位置を示すために、符号１８，１８、符号１９および符号１９１，１９１をそれぞれ附している。
【００３１】
後方傾斜面１６にカバー部２０が切り起されることで、接続端子１０に接続された接続ケーブル１３と接続部近傍１４の上部が隠蔽されるとともに、カバー部２０の切り起し跡が、電源スイッチ８および排熱ファン９の後方と、印刷表示部１１の後方とを開放した開口部２１となる。
【００３２】
後方傾斜面１６に開口部２１が形成されたことで、本体１内に図示しない電源基板またはタッチパネルＬＣＤなどの発熱部品が搭載された際、吸気孔１ａから吸い込まれた空気が、本体１内の発熱部品を冷却して、排熱ファン９により開口部２１から排出されることになる。またその際に、開口部２１をなすカバー部２０は、空気の流れを作る導風板の役割を果たす。なお、吸気孔１ａは、図２に示す箇所に限らず、発熱部品を冷却するのに好適な箇所に設けられてよい。
【００３３】
また、開口部２１が形成されたことで、排熱ファン９により本体１内部の熱が効果的に外部に排出されるとともに、図３に示すように、この開口部２１から手指で電源スイッチ８のＯＮ−ＯＦＦを操作できるようになり、また、図３（Ｂ）に示す視点Ｅから印刷表示部１１を視認できるようになる。
【００３４】
そのため、印刷表示部１１を視認すると同時に、電源スイッチ８のＯＮ／ＯＦＦを操作できることで操作性が良好になる。また、開口部２１をなすカバー部２０により、接続端子１０に接続された接続ケーブル１３と接続部近傍１４を隠蔽できることで外観性が良好になる。
【００３５】
さらに、切り起しによりカバー部２０を形成することで、従来例のようにパンチングで多数の排気穴を設けることがなく、金型，加工コストも削減できる。
【００３６】
接続端子１０に接続された接続ケーブル１３は、図４（Ａ）に示すように、本体１が設置されるテーブル２３に備えた通し穴２４に通され、配線カバー１５により通し穴２４がカバーされることになって、配線カバー１５の外側に露出せず人の目に触れることがない。
【００３７】
また、配線カバー１５は、後方傾斜面１６から両側面１７，１７に渡る下端部に、接続端子１０に接続された接続ケーブル１３を配線カバー１５の外側に導出するための切り欠き１５１を備えている。
【００３８】
配線カバー１５に切り欠き１５１を備えたことで、図４（Ｂ）に示すように、接続端子１０に接続された接続ケーブル１３は、切り欠き１５１から矢印ａに示す本体１の後方に向けて、矢印ｂに示す本体１の一側に向けて、または、矢印ｃに示す本体１の他側に向けて導出される。
【００３９】
その際、切り欠き１５１が、配線カバー１５の下端部に後方傾斜面１６から両側面１７，１７に渡るように形成されていることから、接続ケーブル１３は、後方傾斜面１６に備えた切り欠き１５１と、両側面１７，１７に備えた切り欠き１５１との間で移動可能になる。
【００４０】
以上説明したように、本発明の構成によれば、配線カバー１５にカバー部２０を備え、カバー部２０の切り起し跡が開口部２１となることで、接続端子１０に接続された接続ケーブル１３と接続部近傍１４を隠蔽できるとともに、良好に発熱部品の排熱ができるようになり、また、電源スイッチ８の操作性および印刷表示部１１の視認性を良好にした操作装置となる。
【符号の説明】
【００４１】
１  本体
１ａ  吸気孔
２  操作面
３  操作ボタン
４  表示部
５  送受話器
６  スピーカ部
７  取付面
８  電源スイッチ
９  排熱ファン
１０  接続端子
１１  印刷表示部
１３  接続ケーブル
１４  接続部近傍
１５  配線カバー
１５１  切り欠き
１６  後方傾斜面
１７  側面
１８  上部の切り込み
１９  側部の切り込み
１９１  下端
２０  カバー部
２１  開口部
２２  固定部
２３  テーブル
２４  通し穴
Ｅ  視点
Ｈ  離間部
ｈ  隙間
【図１】
0005768601.tif 000002
【図２】
0005768601.tif 000003
【図３】
0005768601.tif 000004
【図４】
0005768601.tif 000005
【図５】
0005768601.tif 000006